(57)【要約】      （修正有）【課題】ワンセグメント・ローカルサービスにおける不感地を解消、低減し、サービスエリア内に不感地を少なくすることが可能な放送システムを提供する。【解決手段】使用可能な送信周波数帯域の１部分を利用して、特定のエリアに対して、放送を行なう放送システムであって、前記使用可能な送信周波数帯域の他の可能な送信周波数帯域部分においても同じ内容の信号を同時に送信する手段を備えた放送システム。【選択図】図１
2010118903.tif 000002
【特許請求の範囲】
【請求項１】
使用可能な送信周波数を利用して通常のテレビジョン放送よりも極めて小さい特定のエリアに対して、放送を行なう放送システムであって、
前記使用可能な送信周波数帯域の一部を利用して、前記特定のエリアに対して、放送信号を送信する第１の放送手段と、
前記使用可な能送信周波数帯域の前記一部とは異なる他の能送信周波数帯域部分を利用して、前記特定のエリアに対して、前記放送信号と同じ内容の信号を、同時に送信する第２の放送手段とを備えたことを特徴とする放送システム。
【請求項２】
前記請求項１に記載の放送システムにおいて、前記第１の放送手段と前記第２の放送手段とを、前記特定エリア内における異なる位置に設定することを特徴とする放送システム。
【発明の詳細な説明】
【技術分野】
【０００１】
本発明は、映像信号等を含めた信号を放送する放送システムに関し、特に、送信周波数帯域の１部分を利用して、特定のエリアに対して、放送を行なう放送システムに関する。
【背景技術】
【０００２】
近年、地上デジタルテレビジョン放送の部分受信（ワンセグ）の放送方式を利用して、通常のテレビジョン放送よりも極めて小さい特定のエリアに限定して独自のコンテンツを放送のように送信するサービス「ワンセグメント・ローカルサービス」の実用化検討されている。（参考：(社)デジタル放送推進協会「ワンセグメント・ローカルサービス」の送出運用に関する暫定ガイドライン）
【０００３】
また、従来、以下の特許文献１によれば、ワンセグメント放送を帯域内に含むＯＦＤＭデジタル放送を送出するワンセグ放送システムにおいて、屋内や館内での地上デジタル放送の減衰を考慮し、携帯電話等の内蔵アンテナでも十分な映像品質を保つことを目的として、当該放送手段を施設内に複数配置し、その間をケーブルで接続するものが既に知られている。
【特許文献１】特開２００８−３４８９８号公報
【発明の開示】
【発明が解決しようとする課題】
【０００４】
従来の、ワンセグの放送方式を利用して微小な送信電力で特定のエリアをカバーする放送システム（以後、「エリア放送」と呼ぶ）では、下記の理由により、サービスエリア内に不感地が生じ易いという問題があった。
【０００５】
第一に、送信アンテナ高が通常のテレビジョン放送よりも低く（例えば十数メートル）、大地の反射やサービスエリア内外の建物等による遮蔽、反射の影響が大きい。第二に、微小な送信電力でも到達するような伝播距離の伝播路におけるフェージングに対し、サンプリング周波数がそもそも不足している。即ち、ワンセグの受信用に有効シンボル長1.008ms内で５１２ポイントのＦＦＴを行う場合、時間領域でのサンプルレートは約２μｓとなるが、これは590ｍの伝播時間に相当する。従って、半径が数百メートル程度のエリア放送で想定される遅延分散による周波数特性は、ワンセグの帯域内では平坦となって、フェージングが起こると一様にレベルが低下し、周波数インタリーブが意味を成さなくなってしまう。
【０００６】
そこで、本発明は、上述した従来技術における課題を解決するためになされたものであり、その目的は、エリア放送に用いたときに不感地を解消あるいは低減することが可能な放送システムを提供することである。
【課題を解決するための手段】
【０００７】
上記の目的を達成するため、本発明によれば、まず、使用可能な送信周波数帯域の１部分を利用して、特定のエリアに対して、放送を行なう放送システムであって、前記使用可な能送信周波数帯域の他の能送信周波数帯域部分においても同じ内容の信号を同時に送信する手段を備えた放送システムが提供される。
【０００８】
また、本発明では、前記に記載の放送システムにおいて、前記特定エリア内で、前記送信手段を複数の位置に設定することが好ましい。
【発明の効果】
【０００９】
即ち、上述した本発明になる放送システムによれば、送信側にて複数の周波数帯域で放送と行う、所謂、周波数ダイバーシチにより、エリア放送における不感地を解消あるいは低減することができる。
【発明を実施するための最良の形態】
【００１０】
以下、添付の図面を参照して、本発明の実施形態について詳細に説明する。
【００１１】
（第１の実施形態）
図１は、本発明の放送システムにおけるダイバーシチ方式の、基本的な原理を示しており、具体的な使用セグメント配置を示す。
【００１２】
図において、使用チャンネル（帯域幅6MHz）の１部分（１３セグメント中の１セグメント）を使用することにより放送サービスが可能なワンセグメント・ローカルサービスにおいて、図１に示すように中央セグメント（No.0）及び中央セグメント以外の最低１セグメント（以後、副セグメントと称する）において同一内容（仕様上同一にできない部分は除く）を送信する。
【００１３】
図２は、本発明の放送システムで想定される伝播路モデルを示しており、図にも示すように、受信アンテナ１０では、送信アンテナ２０からの直接波と大地からの反射波が共に受信される。これにより、中央セグメントを受信した場合、受信レベル低下により視聴不能となる地点が生じる。中央セグメント以外のセグメントでは、周波数が異なるため受信レベル低下による視聴不能となる地点が中央セグメントと異なる。
【００１４】
なお、図３には、それぞれ、セグメントの受信レベル計算の１例を示す。キャリア周波数はＵＨＦ帯を想定し、ｆｃとｆＨはそれぞれ中央セグメント及び副セグメントの中心周波数であり、ｆHはｆcより約2.3MHz離れている。アンテナからの距離が１００メートル付近の箇所（これはサービスエリア内である）で、最初のレベルの落ち込みが生じるが、ｆHとｆcのうち良い方を選択すれば、レベル低下が１０dB以上改善する。従って、受信端末側において視聴可能なセグメントを選択することによりサービスエリア内における不感地解消あるいは低減することができる。
【００１５】
上記は大地反射を例としているが、反射を生じるサービスエリア内外の建物や壁がある場合も同様の効果が期待できる。
【００１６】
（第２の実施形態）
次に、本発明の第２の実施形態に係わるダイバーシチ方式の放送システムについて説明する。
【００１７】
図４は本発明の第２の実施形態に係わるダイバーシチ方式の送信アンテナ配置例であり、
この第２の実施形態では、上記第１の実施形態に示した周波数ダイバーシチ方式の送信信号を、周波数に対応する２以上の複数のアンテナ２０、３０から送信することを特徴とする。
【００１８】
これらのアンテナ２０、３０間は、地板（反射板）を共通とするものの、実質的な放射素子部分を1/4波長以上離して配置される。本例では、アンテナ２０から中央セグメントを、アンテナ３０から副セグメントを放射する。配置は上下、左右、斜めの何れの方向でもよく、必要とする受信エリアと配置可能な場所に応じ、中央セグメントと副セグメントの伝播路がより独立のものになるように、決定すれば良い。例えば、偏波方向を垂直と水平で異ならせるのも有効である。上下に配置する場合は、周波数の高いほうに対応するアンテナを上に配置したほうが良いかもしれない。さらに、図示はしないが、アンテナが３以上ある場合は同一方向の配置だけでなく、上下、左右、斜めの組み合わせで配置してもよい。
【００１９】
以上説明したように本発明に係るダイバーシチ方式は、送信側にてダイバーシチを行なうことにより、ワンセグメント・ローカルサービスにおける不感地を解消あるいは低減することが可能となる。
【００２０】
（第３の実施形態）
次に、本発明の第３の実施形態に係わるダイバーシチ方式の放送システムについて説明する。図６は本発明の第３の実施形態に係わる放送システムに好適な受信機のブロック図であり、この第３の実施形態では、従来のワンセグ受信機を基に、わずかな回路規模の増大で、上記第１および第２の実施形態に示した周波数ダイバーシチ方式の送信信号を受信できるようにしたことを特徴とする。
【００２１】
ＲＦ４１は、アンテナから入力された無線周波の受信信号を、増幅し、帯域制限して出力する。
【００２２】
チューナ４２ａ、ｂは、ＲＦ４１からの信号を、制御部５１（後述）から指定された周波数で選局し、直交検波、サンプリング等を行って、ベースバンドのデジタル複素信号を出力する。ＲＦ４１及びチューナ４２ａ、ｂの個々の構成は、従来のワンセグ受信機と同様である。
【００２３】
シンボル同期部４３ａ、ｂは、チューナ４２ａ、ｂからの信号からＯＦＤＭシンボル同期を行い、有効シンボルを取り出して、最新の有効シンボル１つを保持して出力する。
スイッチ４４ａは、シンボル同期部４３ａ、ｂからの信号のうち、制御部から指示された一方を選択する。
【００２４】
倍速ワンセグＦＦＴ４５は、スイッチ４４ａで選択された信号を、例えば５１２ポイントでＦＦＴ演算する回路であり、制御部５１からの指示により倍速で動作し、１シンボル時間で２シンボル分のＦＦＴを行う。
【００２５】
ＴＭＣＣデコーダ４６は、所定のサブキャリアを検波、復号してＴＭＣＣ情報を取り出す回路であり、部分受信フラグ、複数階層分の伝送パラメータ情報、及び緊急警報放送用起動フラグ等を検出して、制御部５１に渡す。本例のＴＭＣＣデコーダ４６は、倍速ワンセグＦＦＴ４５とは別個に動作できるようになっているが、遅延検波部から入力を受けて復号だけするようにしてもよい。
【００２６】
スイッチ４４ｂは、倍速ワンセグＦＦＴ４５からの信号を、遅延検波部４７ａ、ｂの出力のうち、制御部から指示された一方へ出力する。スイッチ４４ａ、ｂは、周波数ダイバーシチ方式で受信中には、0.5ＯＦＤＭシンボル時間単位で交互に切り替わるように作動する。
【００２７】
遅延検波部４７ａ、ｂは、サブキャリアごとに差動復調を行い、その結果の最新の１ＯＦＤＭシンボル分を保持する。
【００２８】
比較部４８は、遅延検波部４７ａ、ｂからの信号の全電力を概算して比較し、電力の大きいほうを選択する信号をスイッチ４４ｃに出力する。更には、遅延検波部４７ａ、ｂからの信号をＱＰＳＫ判定した結果を比較し、遅延検波部４７ａおよびｂからの信号が全サブキャリアに亘って同じかどうかも判断しても良い。
【００２９】
スイッチ４４ｃは、遅延検波部４７ａ、ｂからの信号のうち、比較部４８から指示された一方を選択する。
【００３０】
デインタリーブ／誤り復号部（ＴＳデコーダ）４９は、スイッチ４４ｃからの信号を、ＴＭＣＣ情報に基づいて適宜、シンボル判定、デインタリーブ、階層分離・合成、伝送路符号化の復号等を行って、ＴＳストリームを出力する。
【００３１】
ＰＳＩ解読部５０は、ＴＳストリームに含まれているＮＩＴ（ＰＳＩ等を含む）を解読して、制御部５１へ渡す。
【００３２】
制御部５１は、一例として、ＴＭＣＣデコーダからのＴＭＣＣ情報において、部分受信フラグが１で、Ｂ階層伝送パラメータに所定の情報（副セグメントの位置番号を示す情報を含むことが望ましい）が入っている場合、本例の周波数ダイバーシチ方式で送信されていると判断し、そのＢ階層伝送パラメータを用いて或いは試行によりチューナ４２ｂに副セグメントの周波数を指定する信号を与えるとともに、倍速ワンセグＦＦＴ４５やスイッチ４４ａ、ｂの制御を行う。周波数ダイバーシチ方式ではない場合は、チューナ４２ａにだけ中央セグメントの周波数を指定し、スイッチ４４ａ、ｂは所定の一方に固定し、通常のワンセグ復調を行う。試行により周波数ダイバーシチ方式を判断する場合は、遅延検波の合致、ＴＳに含まれる各種ＩＤの合致などで最終的に判断する。制御部５１はまた、ＭＰＥＧデコーダが適切なＰＩＤのＴＳパケットを取り出せるように、ＰＩＤ等の必要な情報をＭＰＥＧデコーダ（不図示）に出力する。また、中央セグメントと副セグメントとでサービスＩＤが異なってそれが問題となる場合は、それを無視させる信号なども出力する。
【００３３】
本例の受信機は、選択ダイバーシチとして説明したが、選択の基準には各種のものを使用でき、例えば現在選択中のセグメント（初期値は中央セグメント）の電力が所定値以下になったときやＴＳ復号エラーが発生したときに、無条件で他方のセグメントに切替えるようにしてもよく、或いは合成ダイバーシチでもよい。これらの方法であれば電力の計算量を半減あるいは不要にできる。
【００３４】
（第４の実施形態）
次に、本発明の第４の実施形態に係わるダイバーシチ方式の放送システムについて説明する。この第４の実施形態では、従来のフルセグ受信機ワンセグ受信機を基に、上記第１および第２の実施形態に示した周波数ダイバーシチ方式の送信信号を受信できるようにしたことを特徴とする。即ち、第３の実施形態の４４ａ、ｂを削除し、４２〜４７、４９、５０を、通常のフルセグ受信機のもの（１波分）に置換し、更に制御部５１から指定された１セグメントを切り出し、比較器４８やスイッチ４４ｃに与える、切り出し回路５２を設けた点で、第３の実施形態と異なる。本例においても、ＴＳデコーダ４９以降の処理はワンセグ１つの受信動作と同じにでき、フルセグ受信時の動作よりも消費電力を低減できる。
【図面の簡単な説明】
【００３５】
【図１】本発明の放送システムにおけるダイバーシチ方式の基本的な原理を示す図である。
【図２】本発明の放送システムで想定される伝播路モデル（第１の実施例）を示す図である。
【図３】上記の放送システムにおけるセグメントの受信レベル計算の結果を示す図である。
【図４】本発明の放送システムで想定される伝播路モデル（第２の実施例）を示す図である。
【図５】従来のワンセグの放送方式を利用した放送システムにおける原理を示す図である。
【図６】本発明の第３の実施形態に係わる放送システムに好適な受信機のブロック図である。
【符号の説明】
【００３６】
１０…受信アンテナ  ２０、３０…送信アンテナ。
【図１】
2010118903.tif 000003
【図２】
2010118903.tif 000004
【図３】
2010118903.tif 000005
【図４】
2010118903.tif 000006
【図５】
2010118903.tif 000007
【図６】
2010118903.tif 000008